(57)【要約】【課題】使い勝手のよい建造物管理支援装置を提供する。【解決手段】本実施の形態にかかる建造物管理支援装置は、入力部１１と、表示部１２と、建造部設定部１３、読み込み部１４と、選択部１５と、ルーム設定部１６と、抽出部１７と、機器情報設定部１８と、ポイント情報設定部１９と、ＢｕＰＥ情報設定部２０、調整部２１と、サマリグラフ生成部２２とが実現される。また、記憶装置には、図面ＤＢ３１および設備機器ＤＢ３２が構築される。【選択図】        図１
2004355361.tif 000002
【特許請求の範囲】
【請求項１】
通信網に接続された複数の監視装置により少なくとも１つの建造物の設備管理を行う建造物管理システムの構築を支援する装置であって、
設備管理の対象となる建造物のレイアウトおよび設備機器のデータを含む図面データに基づいて前記レイアウトを表示し、このレイアウトに任意の領域を設定する領域設定手段と、
前記図面データから前記領域に含まれる設備機器を抽出し、この抽出された設備機器の属性を表す機器リストを作成する抽出手段と
を備えたこと特徴とする建造物管理支援装置。
【請求項２】
請求項１記載の建造物管理支援装置において、
前記設備機器の属性を表す各パラメータのデフォルト値を格納した設備機器データベースと、
この設備機器データベースを参照して、前記機器リストに前記設備機器の各パラメータのデフォルト値を格納する機器情報設定手段と
をさらに備えたことを特徴とする建造物管理支援装置。
【請求項３】
請求項１または２記載の建造物管理支援装置において、
利用者の操作入力に基づいて、前記機器リストに格納する各パラメータのデータを設定する設定手段
をさらに備えたことを特徴とする建造物管理支援装置。
【請求項４】
請求項２または３記載の建造物管理支援装置において、
前記抽出手段によって抽出された設備機器ごとに、その設備機器を管理するために必要なポイント情報を設定するポイント情報設定手段
をさらに備えたことを特徴とする建造物管理支援装置。
【請求項５】
請求項４記載の建造物管理支援装置において、
さらに前記設備機器を管理するために必要なポイント情報のデフォルト値を記録した設備機器データベースを有し、
前記ポイント情報設定手段は、前記設備機器データベースを参照して、前記ポイント情報のデフォルト値を格納する
ことを特徴とする建造物管理支援装置。
【請求項６】
請求項４または５記載の建造物管理支援装置において、
利用者の操作入力に基づいて、前記ポイント情報のデータを設定する設定手段
をさらに備えたことを特徴とする建造物管理支援装置。
【発明の詳細な説明】
【０００１】
【発明の属する技術分野】
本発明は、ビルや集合住宅等の建造物の各設備を監視管理する建造物管理システムの構築を支援する建造物管理支援装置に関する。
【０００２】
【従来の技術】
一般に、建築物等の施設の空調、防犯、照明等の各設備を監視管理する建造物管理システムは、図１２に示すように、各設備機器５１に指示を出すコントローラ５２と、これらのコントローラ５２を一括管理する上位コントローラ５３と、この上位コントローラ５３を管理する中央監視装置５４とから構成される。このような建造物管理システムでは、中央監視装置５４が、上位コントローラ５３からデータを収集して、設備機器５１の設定変更等のオペレーションを行う。このオペレーションに基づく中央監視装置５４からの指示は、上位コントローラ５３およびコントローラ５２を介して設備機器５１に伝達される。
【０００３】
従来より、上述した建造物管理システムにおいて、中央監視装置５４の画面には、監視する設備機器の運転／停止、警報などの情報が表示される。具体的には、建造物やこの建造物のフロアなどのレイアウト等が示された平面図上に、設備機器を示すアイコンや、設備機器の運転／停止、警報などの状態を示す情報が、設備機器が配設されたエリアに対応付けられて表示される。このように、平面図上に設備機器のアイコンおよび設備機器の状態を示す情報が貼り付けられたものをサマリグラフという。このサマリグラフに表示される情報に基づいて、オペレータは、設備機器の設定変更等を行う。
【０００４】
このようなサマリグラフを生成するためには、少なくとも監視管理する設備機器を特定する設備機器のデータと、その設備機器が配設された建造物や部屋などの位置情報と、その設備機器を監視管理するコントローラ等の監視装置を特定する監視装置のデータとが監視管理する設備機器ごとに互いに対応付けて記録される監視ポイントデータベースを作成した後、各設備機器とこれらの設備機器の監視装置とのリンク情報に基づいて別途作成した平面図と整合をとりながら、設備機器を表すアイコンや設備機器の運転／停止、警報などの情報の平面図に設定していた（例えば、非特許文献１参照。）。
【０００５】
なお、特許文献１は、出願人が出願時点で知る限りにおいて文献公知ではない。
また、出願人は、本明細書に記載した先行技術文献情報で特定される先行技術文献以外には、本発明に関連する先行技術文献を出願時までに発見するには至らなかった。
【０００６】
【特許文献１】
特願２００２−１３２８６９
【非特許文献１】
伊藤  弘、柳下  稔、「Ｓａｖｉｃ−ｎｅｔ」、Ｓａｖｅｍａｔｉｏｎ  Ｒｅｖｉｅｗ  Ｖｏｌ．６  Ｎｏ．１  山武ハネウエル制御技術研究報告書、山武ハネウエル株式会社、１９８８年６月、ｐ．１７−２４
【０００７】
【発明が解決しようとする課題】
しかしながら、上述したような従来のシステムでは、以下に示すような問題点があった。
まず、監視ポイントデータベースにおける設備機器を配設する位置情報を設定した後、この位置情報に対応する平面図上の位置に設備機器を示すアイコンの表示箇所を設定するようにしているため、監視ポイントデータとサマリグラフの作成を同時に行えず、手間と時間がかかり、作業効率が悪かった。
また、監視ポイントデータベース、特に監視装置のデータは、監視する設備機器ごとに監視装置自身の種類および監視する各パラメータも異なるため、このような監視装置のデータの設定は、ある程度の設備機器や監視装置に関する専門的な知識がないとできなかった。
さらに、建造物システムの構成が階層構造になっているため、監視ポイントデータベースの設定、特に設備機器と監視装置とのリンク情報を作成するのに手間がかかっていた。
【０００８】
そこで、本発明は上述したような課題を解決するためになされたものであり、使い勝手のよい建造物管理支援装置を提供することを目的とする。
【０００９】
【課題を解決するための手段】
上述したような課題を解決するために本発明の建造物管理支援装置は、通信網に接続された複数の監視装置により少なくとも１つの建造物の設備管理を行う建造物管理システムの構築を支援する装置であって、設備管理の対象となる建造物のレイアウトおよび設備機器のデータを含む図面データに基づいてレイアウトを表示し、このレイアウトに任意の領域を設定する領域設定手段と、図面データから領域に含まれる設備機器を抽出し、この抽出された設備機器の属性を表す機器リストを作成する抽出手段とを備えたこと特徴とする。
【００１０】
上記建造物管理支援装置の１構成例において、設備機器の属性を表す各パラメータのデフォルト値を格納した設備機器データベースと、この設備機器データベースを参照して、機器リストに設備機器の各パラメータのデフォルト値を格納する機器情報設定手段とをさらに備えようにしてもよい。
また、利用者の操作入力に基づいて、機器リストに格納する各パラメータのデータを設定する設定手段をさらに備えるようにしてもよい。
【００１１】
本発明の建造物管理支援装置の１構成例において、抽出手段によって抽出された設備機器ごとに、その設備機器を管理するために必要なポイント情報を設定するポイント情報設定手段をさらに備えるようにしてもよい。
上記建造物管理支援装置において、さらに設備機器を管理するために必要なポイント情報のデフォルト値を記録した設備機器データベースを有し、ポイント情報設定手段は、設備機器データベースを参照して、ポイント情報のデフォルト値を格納するようにしてもよい。
また、利用者の操作入力に基づいて、ポイント情報のデータを設定する設定手段をさらに備えるようにしてもよい。
【００１２】
【発明の実施の形態】
以下、図面を参照して本発明の実施の形態について詳細に説明する。図１は本実施の形態にかかる建造物管理支援装置の構成を示すブロック図である。
本実施の形態にかかる建造物管理支援装置は、表示装置に表示されるサマリグラフによりオペレータが建造物の監視管理を行う建造物管理システムの作成を支援するものである。より詳しくは、既存の図面データにおいて任意の範囲を指定すると、その範囲に含まれる設備機器のリストが自動生成されるものである。建造物管理システムは、そのリストに基づいて生成される。
なお、設備機器とは、例えばポンプ、ファン、コンデンサ、消音器、清浄器、冷媒溜め、ドライヤー、エアフィルタ、アクセスドア等の建造物の空調、防犯、照明、電力供給、下水道設備等を管理するため機器を意味する。このような設備機器は、表示画面上では、それぞれの設備機器の特徴を捉えたアイコンで表示される。
【００１３】
本実施の形態にかかる建造物管理支援装置は、ＣＰＵ等の演算装置と、メモリ、ＨＤＤ等の記憶装置と、キーボード、マウス、ポインティングデバイス、ボタン、タッチパネル等の外部から情報の入力を検出する入力装置と、外部との情報の送受を行うＩ／Ｆ装置と、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）またはＦＥＤ（Ｆｉｅｌｄ  Ｅｍｉｓｓｉｏｎ  Ｄｉｓｐｌａｙ）等の表示装置を備えたコンピュータと、このコンピュータにインストールされたプログラムとから構成される。すなわちハードウェア装置とソフトウェアが協働することによって、上記ハードウェア資源がプログラムによって制御され、後述する入力部１１と、表示部１２と、建造部設定部１３、読み込み部１４と、選択部１５と、ルーム設定部１６と、抽出部１７と、機器情報設定部１８と、ポイント情報設定部１９と、ＢｕＰＥ情報設定部２０、調整部２１と、サマリグラフ生成部２２とが実現される。
また、記憶装置には、上記プログラムの他、図面データと、少なくともその建造物に設置される全種類の設備機器の各パラメータのデフォルト値を含むデータおよびそれらの設備機器をそれぞれ監視管理するＢｕＰＥに対して予め設定された各パラメータのデフォルト値を含むデータとが格納され、これらの情報、データが上述したプログラムにしたがって管理されることにより、後述する図面ＤＢ３１および設備機器ＤＢ３２が構築される。
【００１４】
入力部１１および表示部１２は、ＭＭＩ（Ｍａｎ  Ｍａｃｈｉｎｅ  Ｉｎｔｅｒｆａｃｅ）を構成し、入力部１１は、キーボード、マウス、ポインティングデバイス、ボタン、タッチパネル等の入力装置からの情報の入力を検出し、表示部１２は、建造物設定部１３、読み込み部１４、選択部１５、ルーム設定部１６、抽出部１７、機器情報設定部１８、ポイント情報設定部１９、ＢｕＰＥ情報設定部２０、調整部２１およびサマリグラフ生成部２２から入力される各種情報を表示装置に表示する。
【００１５】
建造物設定部１３は、建造物管理システムを作成するビル等の建造物に関する情報を設定し、後述する建造物リストを作成する。
読み込み部１４は、建造物設定部１３で設定された建造物の設計図、施工図、計装図等の図面データを図面ＤＢ３１から読み込み、この読み込んだ図面データに基づいて平面図（第１の図面データ）を作成し、選択部１５に送出する。なお、第１の図面データには設備機器のデータが含まれる。
選択部１５は、読み込み部１４が作成した第１の図面データに含まれている設備機器のうち抽出する設備機器を選択し、第２の図面データを作成する。
ルーム設定部１６は、第２の図面データにおける任意の領域をルームとして設定し、後述するルームリストを入力する。
抽出部１７は、ルーム設定部１６で設定されたルームに含まれる設備機器を第２の図面データから抽出し、この抽出した設備機器のリスト（機器リスト）を作成する。
機器情報設定部１８は、設備機器リストに含まれる設備機器の基本情報、例えば設備機器の種類やＩＰアドレス等を設定する。
ポイント情報設定部１９は、設備機器リストに含まれる設備機器ごとに、その設備機器の制御に関連する各種パラメータ（ポイント情報）を設定し、後述するポイントリストを作成する。
ＢｕＰＥ情報設定部２０は、ルームの状態を監視管理する監視装置（ＢｕＰＥ：Ｂｕｉｌｄｉｎｇ  Ｐｅｒｆｏｒｍａｎｃｅ  Ｅｘｐｌｏｒｅ）の各種パラメータを設定し、ＢｕＰＥリストを作成する。
調整部２１は、第２の図面データの形状、寸法等を調整することにより、表示装置に表示されるサマリグラフの形状や寸法等の変更を行う。
サマリグラフ生成部２２は、第２の図面データとＢｕＰＥリスト等からサマリグラフを生成する。
【００１６】
図面ＤＢ３１には、予め作成された建造物の設計図、施工図または計装図等の図面を電子化した図面データ（原図データ）が格納される。なお、この原図データには、設備機器の情報が含まれている。
設備機器ＤＢ３２には、表示装置上で例えば図４において符号４２で示されるようなツールボックスに表示される各種アイコンに対応する設備機器の各パラメータのデフォルト値やそれらの設備機器を監視管理する各ＢｕＰＥの各パラメータ値のデフォルト値が予め格納されている。
【００１７】
次に、図２を参照して、本実施の形態にかかる建造物管理支援装置の動作について説明する。図２は、本実施の形態にかかる建造物管理支援装置の動作を示すフローチャートである。
【００１８】
利用者が建造物管理支援装置を起動すると（ステップＳ２０１）、ビル設定部１３は、例えば「建造物の基本情報を入力してください」等のメッセージを表示部１２に表示させることにより、建造物管理システムを作成する建造物の基本情報（建造物情報）を入力するよう利用者を促す。ここで、建造情報とは、建造物が建てられている地域の識別コード（エリアコード）、建造物の識別コード（ビルコード）、建造物の名称、建造物の延べ床面積、建造物の階数等を意味する。このような基本情報が入力されると、ビル設定部１３は、図３に示すような建造物リストを作成する（ステップＳ２０２）。図３は、建造物リストの一例を示す図である。建造物リストは、エリアコードと、ビルコードと、建造物情報とが１つのレコードを形成し、このようなレコードが建造物ごとに設けられている。
【００１９】
建造物リストが作成されると、読み込み部１４は、その基本情報が入力された建造物の原図データを、図面ＤＢ３１から読み出す。（ステップＳ２０３）。ここで、読み込み部は、図面ＤＢ３１から読み込んだ原図データから、図４に示すような各フロアごとのレイアウトを示す平面図を作成する。図４は、第１の図面データの一例を示す図である。第１の図面データ４１は、引き出し線や寸法線等が含まれた各フロアごとのレイアウトを示す平面図から構成される。このような第１の図面データ４１には、設備機器の情報も含まれる。
【００２０】
第１の図面データが作成されると、選択部１５は、例えば「設備機器を選択してください」等のメッセージを表示部１２に表示させるとともに、設備機器ＤＢ３２を参照して、図４に示すように表示部１２に第１の図面データ４１と各種設備機器のアイコンがマウス等で選択可能なように表示されるツールバー４２を表示し、第１の図面データ４１に含まれる設備機器を選択するよう利用者を促す。この設備機器の選択は、例えば、第１の図面データ４１に表示された設備機器の位置に、その設備機器に対応する設備機器のアイコンを符号４２で示されるツールバーからドラッグしてきてドロップすることにより行われる。また、第１の図面データ４１に表示された設備機器マウス等でクリックして選択するとともに、その設備機器に対応するアイコンをツールバー４２に表示されるその設備機器に対応するアイコンをマウス等でクリックすることによっても行うことができる。
【００２１】
上述した方法で設備機器が選択されると（ステップＳ２０４）、選択部１５は、図５に示すような、第２の図面データ５１を作成する（ステップＳ２０５）。図５は、第２の図面データの一例を示す図である。第２の図面データ５１は、第１の図面データ４１から引き出し線や寸法線が取り除かれ、かつ選択された設備機器のアイコンが表示された各フロアごとのレイアウトを示す平面図から構成される。
【００２２】
第２の図面データが作成されると、ルーム設定部１６は、例えば「ルームを設定してください」等のメッセージと第２の図面データを表示部１２に表示させることにより、利用者にルームの設定入力を促す。このルームの設定入力は、マウス等の入力装置で表示部１２に表示された第２の図面データ５１のレイアウトに任意の領域を指定するなどの方法により行われる。例えば、図５に示すように、マウス等で第２の図面データ５１上の任意の領域が選択されると、ルーム設定部１６は、その選択された領域を符号５２で示すような斜線で囲み、１つのルームとして定義する。
【００２３】
ルームが設定されると（ステップＳ２０６）、ルーム設定部１６は、図６に示すようなルームリストを作成する（ステップＳ２０７）。図６は、ルームリストの一例を示す図である。ルームリストは、設定されたルームの識別コード（ルームコード）と、このルームコードに対応するルームの基本情報（ルーム情報）とが１つのレコードを形成し、このようなレコードが設定されたルーム単位に設けられている。ここで、ルーム情報とは、設定されたルームの面積、用途等を意味する。
【００２４】
また、抽出部１７は、第２の図面データに設定されたルームの範囲に含まれる設備機器を抽出し、図７に示すような機器リストを作成する（ステップＳ２０８）。図７は、機器リストの一例を示す図である。
機器リストは、ルームに配設されている設備機器の識別コード（機器コード）と、設備機器の基本情報（機器情報）とが１つのレコードを形成し、このようなレコードがそのルームに配設されている設備機器ごとに設けられている。ここで、機器情報とは、ポジションコード、機器コード、設備機器の名称、ＩＰアドレス、アイコンのパターン等を意味する。
抽出部１７は、上述したようにルーム設定部１６により第２の図面データにルームが設定されると、このルームの領域に含まれる設備機器を第２の図面データから抽出することにより、機器リストに含まれる機器コードを自動的に生成する。
このように本実施の形態では、ルームを設定するだけで、機器リストが自動的に生成されるので、とても使い勝手がよい。
【００２５】
機器リストに機器コードが自動生成されると、機器情報設定部１８は、図８に示すような機器情報入力用画面を表示部１２に表示し、機器情報を入力するよう利用者に促す。図８は、機器情報入力用画面の一例を示す図である。ここで、ポジションコードとは、設備機器が設置された位置に関する情報であり、「エリアコード＋ビルコード＋ルームコード」で表現される。また、アイコンのパターンとは、第２の図面データまたはサマリグラフに表示される設備機器を示すアイコンのパターンのことを意味する。
【００２６】
上述したように機器コードは自動生成されるので、機器情報設定部１８は、建造物リスト、ルームリストを参照して、機器情報入力用画面に、ポジションコード、機器コードを表示する。入力部１１が利用者による操作入力を検出すると、機器情報設定部１８は、検出した機器情報の各データを機器リストに格納する。
【００２７】
なお、機器情報設定部１８は、ステップＳ２０４において選択した設備機器の情報に基づいて、設備機器のポイントタイプやアイコンのパターン等のデフォルト値を機器リストに自動生成するようにしてもよい。これにより、本実施の形態にかかる建造物管理支援装置は、ある程度専門的な知識がなくても容易に建造物管理システムを生成することができるので、結果として非常に使い勝手がよい。ここで、自動生成したデフォルト値は、入力部１１が検出する利用者による操作入力により適宜自由に変更することができようにしてもよい。
【００２８】
また、図８に示す設定情報入力画面において、設備機器のアイコンのパターンを変更することもできる。図９は、アイコン選択画面の一例を示す図である。この場合、設備機器の各表示パターンは設備機器ＤＢ３２に格納されており、利用者が図８に示す設定情報入力画面に「アイコン選択」と表示された部分を選択したことを入力部１１が検出すると、図９に示すようなアイコン選択画面が表示され、所望する設備機器の表示パターンを適宜自由に選択することができる。
【００２９】
また、本実施の形態では、図８に示す設定情報入力画面において、利用者の操作入力により、設備機器のＩＰアドレスを入力することもできる。このＩＰアドレスの入力は、図８に示す「ＩＰアドレス」と表示された部分に、利用者がＩＰアドレスを入力することにより行われる。この利用者による操作入力を入力部１１が検出すると、機器情報設定部１８は、機器リストにＩＰアドレスを格納する。これにより、設備機器と監視装置とのリンクを容易に作成することができるので、本実施の形態にかかる建造物管理支援装置は、結果として非常に使い勝手がよい。
【００３０】
機器情報が設定されると（ステップＳ２０９）、ポイント情報設定部１９は、図１０に示すようなポイントリストを作成する（ステップＳ２１０）。図１０は、ポイントリストの一例を示す図である。
ポイントリストは、ポジションコードと、建造物管理システムがどのような管理または監視をするかを定義するポイントタイプと、サマリグラフに表示される記号を意味する「表示記号」と、中央監視するか否かを示す「中央監視」等が１つのレコードを形成し、このようなレコードがポイントタイプごとに設けられている。このようなポイントリストには、ＯＮ／ＯＦＦ、ｍ３／ｈ、％ｋＰａ、ｍ３等のポイントタイプに依存したデータや単位が含まれるようにしてもよい。
【００３１】
ここで、建造物管理システムは、１つの設備機器において、１つ以上の項目を管理または監視することができる。例えば、図１０に示すように、機器コードが０１の設備機器は、２つの項目について建造物管理システムにより管理または監視される。このように、２つ以上の項目について管理または監視される設備機器には、他の項目との差別化を図るために、ポジションコードの末尾に識別コードが付加される。
【００３２】
このようなポイントリストは、機器リスト、Ｓ２０９で設定された機器情報、設備機器ＤＢ３２等に基づいて作成され、ポイントリストに格納される各データにはデフォルト値が設定される。これにより、本実施の形態にかかる建造物管理支援装置は、ある程度専門的な知識がなくても容易に建造物管理システムを生成することができるので、結果として非常に使い勝手がよい。
なお、ポイントリストの各データは、利用者により設定するようにしてもよい。また、ポイントリストの各データは、適宜変更することもできる。このようなポイントリストの各データの設定または変更は、利用者によるポイントリストの各データの設定または変更を意味する操作入力を入力部１１が検出し、この検出した情報に基づいてポイント情報設定部１９により行われる。
【００３３】
ポイントリストが作成されると、ＢｕＰＥ情報設定部２０は、図１１に示すようなＢｕＰＥリストを作成する（ステップＳ２１１）。図１１は、ＢｕＰＥリストの一例を示す図である。ＢｕＰＥリストは、ルームごとに設けられた監視装置の各データを格納したレコードがポジションコードごと形成されている。このようなＢｕＰＥリストには、マネジメントフラグ、状態情報、機能情報に関する各データが少なくとも含まれる。
ここで、マネジメントフラグとは、ビル統括、群管理、バックアップ群管理等のＢｕＰＥが管理を行う項目をフラグが立っているか否かにより区別するものである。また、状態情報とは、ＢｕＰＥが監視または管理しているルームの状態を示すものであり、正常、機能障害有り、機能停止等のルームの状態を示す項目にフラグを立てることで表現する。また、機能情報とは、ＢｕＰＥが行う各種機能を示すものであり、監視、操作、制御指令、データ収集・蓄積、データ変換、表示・印刷、ＬＣＭ（Ｌｉｆｅ  Ｃｙｃｌｅ  Ｍａｎａｇｅｍｅｎｔ）等の各項目にフラグを立てることで表現する。
【００３４】
図１１に示される機能情報の各項目の意味は以下の通りである。「監視」とは、設備機器を監視するか否かを示す。「操作」とは、設備機器のＯＮ／ＯＦＦ等の操作を行うか否かを示す。「制御指令」とは、設定温度等の設備機器の設定変更に関する指示を行うか否かを示す。「データ収集・蓄積」とは、温度データ等の設備機器から検出される各種データを収集するか否か、この収集したデータを蓄積するか否かを示す。「データ変換」とは、設備機器から検出されるデータを他のデータ形式に変換するか否かを示す。「表示・印刷」とは、設備機器から検出されるデータを表示するまたは印刷するか否かを示す。「ＬＣＭ」とは、設備機器の耐用年数を管理するか否かを示す。
【００３５】
このようなＢｕＰＥリストには、Ｓ２１０で設定されたポイントリストに基づいてポジションコードが自動的に入力される。また、設備機器ＤＢ３２や利用者の操作入力等に基づいてその他の各データが入力される。例えば、マネジメントフラグや機能情報の一部（データ収集・蓄積、データ変換、表示印刷、ＬＣＭ等の項目）のデータは、利用者の操作入力に基づいて入力される。また、状態情報や機能情報の一部（監視、操作、制御指令等の項目）のデータは、設備機器ＤＢ３２等に基づいて、自動的に入力される。
これにより、本実施の形態にかかる建造物管理支援装置は、ある程度専門的な知識がなくても容易に建造物管理システムを生成することができるので、結果として非常に使い勝手がよい。
なお、ＢｕＰＥリストの各データを自動的に入力するかまたは利用者により入力するかは、適宜自由に設定できるようにしてもよい。また、ＢｕＰＥリストの各データは、適宜変更することもできる。このようなＢｕＰＥリストの各データの設定または変更は、利用者によるＢｕＰＥリストの各データの設定または変更を意味する操作入力を入力部１１が検出し、この検出した情報に基づいてＢｕＰＥ情報設定部２０により行われる。
【００３６】
上述したように、ステップＳ２０６において１つのルームを設定すると、このルームの設定に伴って、ルームリスト、機器リスト、ポイントリストおよびＢｕＰＥリストが順次作成される。
第２の図面データにさらにルームを設定する場合は（ステップＳ２１２：ＹＥＳ）、ステップＳ２０６に戻り、上述した各リストの作成を行う。
【００３７】
第２の図面データにおけるルームの設定が終了すると（ステップＳ２１２：ＮＯ）、調整部２１は、例えば「サマリグラフの表示位置・表示サイズを調整してください」というコメントとともに第２の図面データを表示部１２に表示することにより、サイズサマリグラフの基となる第２の図面データの表示部１２における表示位置やサイズの調整を行うよう利用者を促す。この第２の図面データの表示位置・表示サイズの変更は、例えばマウス等で表示位置を変更する箇所やサイズを変えたい箇所をドラッグすることにより簡便に行うことができる。
【００３８】
第２の図面データのサイズ調整が終了すると（ステップＳ２１３）、サマリグラフ生成部２２は、そのサイズ調整が行われた第２の図面データと、ＢｕＰＥリストに基づいてサマリグラフを作成する（ステップＳ２１４）。この生成されたサマリグラフおよび監視ポイントＤＢ２４は、建造物管理システムを構成する例えばコンピュータ等にインストールされる。建造物管理システムの表示装置に表示されるサマリグラフにおいて、設備機器のアイコン近傍には、設備機器に対応する設備機器の状態、例えば運転／停止、警報等が、それぞれの設備機器を監視管理するＢｕＰＥが検出したデータに基づいて表示される。このようなサマリグラフに基づいて、建造物管理システムのオペレータは、建造物の監視および管理を行う。
【００３９】
本実施の形態において、設備機器ＤＢ３２に格納される設備機器またはＢｕＰＥの各パラメータの種類等は、上述した種類に限定されず、適宜自由に変更することができる。
また、本実施の形態において、原図データは、図面ＤＢ３１に格納された図面データのみならず、Ｉ／Ｆ装置を介して外部から入力された図面データを用いるようにしてもよい。
【００４０】
また、本実施の形態において、設備機器ＤＢ３２に設備機器ごとの保守点検項目リスト、点検／保守周期などを対応する設備機器に関連づけて記録し、サマリグラフ上で設備機器が選択されると、この設備機器のランニング情報、保守点検情報等を表示するようにしてもよい。これにより、本実施の形態にかかる建造物管理支援装置では、監視装置や管理機器等の各種情報の一元管理を行うことができる建造物管理システムを生成することができる。
【００４１】
【発明の効果】
以上説明したように本発明によれば、図面データ上の任意の領域を設定するだけで、機器リストが作成されるので、非常に使い勝手がよい。
また、本発明によれば、機器リスト、ポイントリストまたはＢｕＰＥリストの各パラメータのデフォルト値が自動的に生成されるので、ある程度専門的な知識がなくても容易に建造物管理システムを生成することができ、結果として非常に使い勝手がよい。
さらに、本発明によれば、設備機器と監視装置とのリンクを容易に作成することができるので、結果として非常に使い勝手がよい。
また、本発明によれば、入力手段により機器リスト、ポイントリストまたはＢｕＰＥリストの各パラメータのデータを設定入力することができるため、必要に応じて適宜自由にそれらの各データの設定変更ができる。
【図面の簡単な説明】
【図１】本実施の形態にかかる建造物管理支援装置の構成を示すブロック図である。
【図２】本実施の形態にかかる建造物管理支援装置の動作を示すフローチャートである。
【図３】建造物リストの一例を示す図である。
【図４】第１の図面データの一例を示す図である。
【図５】第２の図面データの一例を示す図である。
【図６】ルームリストの一例を示す図である。
【図７】機器リストの一例を示す図である。
【図８】機器情報入力用画面の一例を示す図である。
【図９】アイコン選択画面の一例を示す図である。
【図１０】ポイントリストの一例を示す図である。
【図１１】ＢｕＰＥリストの一例を示す図である。
【図１２】従来の建造物管理システムの構成を示す図である。
【符号の説明】
１１…入力部、１２…表示部、１３…建造物設定部、１４…読み込み部、１５…選択部、１６…ルーム設定部、１７…抽出部、１８…機器情報設定部、１９…ポイント情報設定部、２０…ＢｕＰＥ情報設定部、２１…調整部、２２…サマリグラフ生成部、３１…図面ＤＢ、３２…設備機器ＤＢ。
【図１】
2004355361.tif 000003
【図２】
2004355361.tif 000004
【図３】
2004355361.tif 000005
【図４】
2004355361.tif 000006
【図５】
2004355361.tif 000007
【図６】
2004355361.tif 000008
【図７】
2004355361.tif 000009
【図８】
2004355361.tif 000010
【図９】
2004355361.tif 000011
【図１０】
2004355361.tif 000012
【図１１】
2004355361.tif 000013
【図１２】
2004355361.tif 000014